(57)【要約】【課題】ヒト生体などの媒質中の微粒子による光散乱を示す被測定物内の、例えばグルコース濃度などの成分濃度を高精度に測定することが可能な、被測定物内の成分濃度の測定装置を提供する。【解決手段】直線偏光を出射する半導体レーザ２と、半導体レーザ２からの直線偏光が入射され、入射された光の偏光状態を時間的に変化させる位相変調器３と、位相変調器３によって光の偏光状態が変化させられ、媒質中の微粒子による光散乱を示す被測定物４に照射され、被測定物４を透過した光を偏光分離する偏光ビームスプリッタ５と、偏光分離された２つの偏光をそれぞれ検出する第１及び第２の光検出器６、７と、偏光分離された２つの偏光の検出信号を差動演算する差動増幅器８とを備えた、被測定物内の成分濃度の測定装置１である。差動増幅器８によって得られる差分信号が計測信号として利用される。【選択図】図１
2012148034.tif 000002
【特許請求の範囲】
【請求項１】
直線偏光を出射する光源と、
前記光源からの直線偏光が入射され、入射された光の偏光状態を時間的に変化させて、媒質中の微粒子による光散乱を示す被測定物に照射する手段と、
前記被測定物を透過した光を偏光分離する手段と、
前記偏光分離された２つの偏光をそれぞれ検出する光検出器と、
前記偏光分離された２つの偏光の検出信号を差動演算する手段とを備え、
前記差動演算する手段によって得られる差分信号を計測信号として利用することを特徴とする、被測定物内の成分濃度の測定装置。
【請求項２】
前記光源が、半導体レーザ、又は、偏光子を備えた発光ダイオードである、請求項１に記載の被測定物内の成分濃度の測定装置。
【請求項３】
前記入射された光の偏光状態を時間的に変化させて、前記媒質中の微粒子による光散乱を示す被測定物に照射する手段において、前記入射された光の偏光状態を時間的に変化させる手段が、位相変調器である、請求項１又は２に記載の被測定物内の成分濃度の測定装置。
【請求項４】
前記計測信号の中から前記位相変調器に同期して変化する成分を抽出する同期検波手段をさらに備えた、請求項３に記載の被測定物内の成分濃度の測定装置。
【請求項５】
前記入射された光の偏光状態を時間的に変化させて、前記媒質中の微粒子による光散乱を示す被測定物に照射する手段において、前記入射された光の偏光状態を時間的に変化させる手段が、回転する位相板である、請求項１又は２に記載の被測定物内の成分濃度の測定装置。
【請求項６】
前記計測信号の中から前記回転する位相板の回転に同期して変化する成分を抽出する同期検波手段をさらに備えた、請求項５に記載の被測定物内の成分濃度の測定装置。
【請求項７】
前記同期検波手段がロックインアンプである、請求項４又は６に記載の被測定物内の成分濃度の測定装置。
【請求項８】
前記被測定物を透過した光を偏光分離する手段が、偏光ビームスプリッタ、偏光回折格子、グラントムソンプリズム、ウォラストンプリズム、ローションプリズム及びビームディスプレイサからなる群から選ばれる１つである、請求項１〜７のいずれか１項に記載の被測定物内の成分濃度の測定装置。
【請求項９】
前記差動演算する手段が差動増幅器である、請求項１〜８のいずれか１項に記載の被測定物内の成分濃度の測定装置。
【発明の詳細な説明】
【技術分野】
【０００１】
本発明は、被測定物内の成分濃度の測定装置、特に、ヒト生体組織内の血液中の血糖濃度を測定するのに好適な非侵襲の測定装置に関する。
【背景技術】
【０００２】
近年、高齢化社会の到来と共に糖尿病の患者数は毎年増加の一途を辿っている。また、糖尿病患者は、血液中の血糖濃度をコントロールするために血糖値を測定しなければならない。特に重症の患者においては、血中血糖濃度を準リアルタイムにコントロールする必要があることから、日に数回にも及ぶ頻繁な血糖値測定を必要としている。
【０００３】
現在、実用されている血糖値測定法には、静脈からの採血血液から赤血球を取り除いた血漿分についての糖分濃度を化学分析的に測定する化学分析法と、酵素電極を用いて糖分のみによる電気伝導度を選別的に測定する酵素電極法とがある。
【０００４】
しかし、いずれにしても、このように侵襲を伴って血糖値を測定することは、患者に対して苦痛と精神的な負担を強いるのみならず、免疫力の低下している患者に対して各種の感染症を引き起こす原因ともなっている。また、測定ごとに使い捨ての針先を必要とすることから、資源的並びに経済的な問題が発生するのみならず、血液の付着した針先の安全な回収処理の問題も発生する。
【０００５】
そこで、最近、非侵襲で採血を必要としない、偏光保存成分（フォトン）検出法を用いた血糖値（グルコース濃度）測定装置が提案されている（例えば、特許文献１参照）。
【０００６】
特許文献１には、以下のことが開示されている。すなわち、
（１）特許文献１には、血糖値による光の散乱係数の変化を利用した方法が開示されている。この場合、吸収を用いないので、生体の窓と呼ばれる吸収の少ない波長８００ｎｍ付近の光を利用することができる。また、これにより、グルコースの吸収のバックグラウンドに存在する水の吸収の影響を受けないで、測定が容易となる。
【０００７】
（２）生体における光の散乱特性を決定する散乱係数は、散乱体である微小生体物質（赤血球、白血球、血小板、細胞膜等）と媒質（血漿）の屈折率の差に依存している。微小生体物質の屈折率は、媒質である血漿の屈折率よりも大きいことが知られている。血漿中に溶解しているグルコース（糖質）の濃度が増加すると、媒質（血漿）の屈折率が大きくなる。その結果、散乱体と媒質の屈折率の差が小さくなり、生体を透過する光に対する生体の散乱係数は小さくなると考えられる。従って、散乱係数の変化を測定すれば、グルコース濃度を見積もることができる。
【０００８】
（３）散乱物質を透過する光の強度は、散乱係数に対してランバードベール則に従うことが知られている。従って、この法則を利用すれば、散乱係数の変化を検出することができる。
【０００９】
しかし、生体のように高い散乱係数の媒質の中では回り込み光の影響が現れ、ある散乱係数の値よりも大きい散乱係数の領域でランバードベール則が満たされなくなる。
【００１０】
そこで、回りこみ光の影響を抑制するために、散乱光成分の中からランバードベール則に従う準直進光成分を抽出するのに有効な偏光保存フォトン検出法を用いる。準直進光成分とは、検出器に到達するまでの散乱回数が少なく、散乱媒質中を検出器に向かって略直線的に進行する経路を通過してきた光のことである。このように、準直進光成分は、散乱回数が少なく、散乱時に受ける偏光の解消度が小さい。従って、準直進光成分は、被測定物に照射される光の偏光状態を保存する。これに対し、回り込み成分は、散乱回数が多いため、偏光の解消度が大きく、無偏光となる。このように、被測定物を透過した光のうち偏光状態を保存している成分（準直進光成分）のみを抽出することにより、準直進光成分の強度により散乱係数の変化を測定して、グルコース濃度を見積もることができる。
【先行技術文献】
【特許文献】
【００１１】
【特許文献１】特許第４２６９０７９号公報
【発明の概要】
【発明が解決しようとする課題】
【００１２】
しかし、特許文献１によって提案されている血糖値測定装置にあっては、計測信号に、光源ノイズや生体の局所的な変動（脈波、呼吸等）に由来するノイズが入ってしまい、信号品質の低下を招いてしまうという問題がある。
【００１３】
本発明は、従来技術における前記課題を解決するためになされたものであり、ヒト生体などの媒質中の微粒子による光散乱を示す被測定物内の、例えばグルコース濃度などの成分濃度を高精度に測定することが可能な、被測定物内の成分濃度の測定装置を提供することを目的とする。
【課題を解決するための手段】
【００１４】
前記目的を達成するため、本発明に係る被測定物内の成分濃度の測定装置の構成は、直線偏光を出射する光源と、前記光源からの直線偏光が入射され、入射された光の偏光状態を時間的に変化させて、媒質中の微粒子による光散乱を示す被測定物に照射する手段と、前記被測定物を透過した光を偏光分離する手段と、前記偏光分離された２つの偏光をそれぞれ検出する光検出器と、前記偏光分離された２つの偏光の検出信号を差動演算する手段とを備え、前記差動演算する手段によって得られる差分信号を計測信号として利用することを特徴とする。
【発明の効果】
【００１５】
本発明によれば、ヒト生体などの媒質中の微粒子による光散乱を示す被測定物を透過した光を用いて、例えばグルコース濃度などの成分濃度を高精度に測定することが可能となる。従って、本発明によれば、高精度な非侵襲の血糖値センサを実現することが可能となる。
【図面の簡単な説明】
【００１６】
【図１】図１は、本発明の実施の形態１における被測定物内の成分濃度の測定装置を示す概略構成図である。
【図２】図２は、本発明の実施の形態における、準直進光成分と回り込み成分の検出強度の時間変化を示すグラフである。
【図３】図３は、本発明の実施の形態２における被測定物内の成分濃度の測定装置を示す概略構成図である。
【図４】図４は、本発明の実施の形態３における被測定物内の成分濃度の測定装置を示す概略構成図である。
【図５】図５は、本発明の実施の形態３における被測定物内の成分濃度の測定装置の他の例を示す概略構成図である。
【図６】図６は、本発明の実施の形態４における被測定物内の成分濃度の測定装置を示す概略構成図である。
【図７】図７は、本発明の実施の形態４における被測定物内の成分濃度の測定装置の他の例を示す概略構成図である。
【発明を実施するための形態】
【００１７】
本発明の被測定物内の成分濃度の測定装置は、直線偏光を出射する光源と、前記光源からの直線偏光が入射され、入射された光の偏光状態を時間的に変化させて、媒質中の微粒子による光散乱を示す被測定物に照射する手段と、前記被測定物を透過した光を偏光分離する手段と、前記偏光分離された２つの偏光をそれぞれ検出する光検出器と、前記偏光分離された２つの偏光の検出信号を差動演算する手段とを備えている。当該測定装置においては、前記差動演算する手段によって得られる差分信号が計測信号として利用される。そして、このようにして得られた計測信号は、例えばパーソナルコンピュータへ入力され、その後の信号処理により、散乱係数の変化、さらには成分濃度が求められる。
【００１８】
被測定物は、例えば血糖値測定（グルコース濃度の測定）においては、指や耳たぶ等である。そして、この場合の「媒質中の微粒子」は、血漿中の赤血球、白血球、血小板、細胞膜等である。生体における散乱特性を決定する散乱係数は、散乱体である微粒子としての微小生体物質（赤血球、白血球、血小板、細胞膜等）と媒質（血漿）の屈折率の差に依存している。微小生体物質の屈折率は、媒質である血漿の屈折率よりも大きいことが知られている。血漿中に溶解しているグルコース（糖質）の濃度が増加すると、媒質（血漿）の屈折率が大きくなる。その結果、散乱体と媒質の屈折率の差が小さくなり、生体を透過する光に対する生体の散乱係数は小さくなると考えられる。従って、散乱係数の変化を測定すれば、グルコース濃度を見積もることができる。しかし、本発明の被測定物内の成分濃度の測定装置は、グルコース濃度の測定装置（血糖値センサ）のみに限定されるものではなく、例えば、繊維製品内の特定の繊維の濃度を測定する装置等としても使用することができる。
【００１９】
本発明の被測定物内の成分濃度の測定装置によれば、被測定物を透過した光を偏光分離し、偏光分離された２つの偏光の検出信号を差動演算して得られる差分信号を計測信号として利用するようにされているので、信号強度を２倍にすることができる。また、回り込み光を抑制し、かつ、光源ノイズや生体の局所的な変動（脈波、呼吸等）に由来するノイズを抑制した高精度な被測定物内の成分濃度の測定装置を提供することが可能となる。
【００２０】
前記本発明の被測定物内の成分濃度の測定装置の構成においては、前記光源が、半導体レーザ、又は、偏光子を備えた発光ダイオードであるのが好ましい。半導体レーザは、小型で高効率であることから、測定装置の安定化、小型化を図ることが可能となる。また、光源として、偏光子を備えた発光ダイオードを用いれば、より安価な測定装置を提供することが可能となる。
【００２１】
また、前記本発明の被測定物内の成分濃度の測定装置の構成においては、前記入射された光の偏光状態を時間的に変化させて、前記媒質中の微粒子による光散乱を示す被測定物に照射する手段において、前記入射された光の偏光状態を時間的に変化させる手段が、位相変調器であるのが好ましい。また、この場合には、前記計測信号の中から前記位相変調器に同期して変化する成分を抽出する同期検波手段をさらに備えているのが好ましい。この好ましい例によれば、回り込み光や検出系のノイズの抑制を、より高精度に行うことができる。前記同期検波手段としてはロックインアンプを用いることができる。
【００２２】
また、前記本発明の被測定物内の成分濃度の測定装置の構成においては、前記入射された光の偏光状態を時間的に変化させて、前記媒質中の微粒子による光散乱を示す被測定物に照射する手段において、前記入射された光の偏光状態を時間的に変化させる手段が、回転する位相板であるのが好ましい。また、この場合には、前記計測信号の中から前記回転する位相板の回転に同期して変化する成分を抽出する同期検波手段をさらに備えているのが好ましい。前記同期検波手段としてはロックインアンプを用いることができる。
【００２３】
また、前記本発明の被測定物内の成分濃度の測定装置の構成においては、前記被測定物を透過した光を偏光分離する手段が、偏光ビームスプリッタ、偏光回折格子、グラントムソンプリズム、ウォラストンプリズム、ローションプリズム及びビームディスプレイサからなる群から選ばれる１つであるのが好ましい。特に偏光回折格子を用いることにより、より小型で安価な成分濃度の測定装置を提供することが可能となる。
【００２４】
また、前記本発明の被測定物内の成分濃度の測定装置の構成においては、前記差動演算する手段が差動増幅器であるのが好ましい。
【００２５】
以下、好適な実施の形態を用いて本発明をさらに具体的に説明する。但し、下記の実施の形態は本発明を具現化した例に過ぎず、本発明はこれに限定されるものではない。
【００２６】
［実施の形態１］
図１は、本発明の実施の形態１における被測定物内の成分濃度の測定装置を示す概略構成図である。
【００２７】
図１に示すように、本実施の形態の被測定物内の成分濃度の測定装置（以下、単に「測定装置」ともいう）１は、直線偏光を出射する光源としての半導体レーザ２と、半導体レーザ２からの直線偏光が入射され、入射された光の偏光状態を時間的に変化させて、媒質中の微粒子による光散乱を示す被測定物４に照射する手段において、入射された光の偏光状態を時間的に変化させる手段としての位相変調器３と、被測定物４を透過した光を偏光分離する手段としての偏光ビームスプリッタ５と、偏光分離された２つの偏光をそれぞれ検出する第１及び第２の光検出器６、７と、偏光分離された２つの偏光の検出信号を差動演算する手段としての差動増幅器８とを備えている。そして、当該測定装置１においては、差動増幅器８によって得られる差分信号が計測信号として利用される。また、差動増幅器８によって得られた計測信号は、パーソナルコンピュータ９へ入力され、そこで信号処理が行われる。
【００２８】
本実施の形態においては、直線偏光を出射する光源として半導体レーザ２が用いられている。半導体レーザ２は、小型で高効率であることから、測定装置１の安定化、小型化を図ることが可能となる。また、本実施の形態においては、自然発光成分を除去して、より精度を高めるために、図１に示すように、半導体レーザ２と位相変調器３との間に偏光子１０が配置されている。しかし、偏光子１０は、測定装置１の必須の構成要素ではない。尚、直線偏光を出射する光源としては、偏光子を備えた発光ダイオードを用いることもできる。この場合、発光ダイオードからの光は、偏光子を通して直線偏光に変換される。そして、このように、直線偏光を出射する光源として偏光子を備えた発光ダイオードを用いれば、より安価な測定装置を提供することが可能となる。
【００２９】
また、位相変調器３へ入射させる光はコリメート光であるのが望ましいため、本実施の形態においては、図１に示すように、半導体レーザ２と位相変調器３との間にコリメートレンズ１１が配置されている。しかし、コリメートレンズ１１は、測定装置１の必須の構成要素ではない。
【００３０】
半導体レーザ２から出射される光の波長は、生体の光の窓と呼ばれる光が透過しやすい６００ｎｍ〜１２００ｎｍであるのが望ましい。
【００３１】
位相変調器３としては、例えば、ニオブ酸リチウム、ＢＳＯ（ビスマス・シリコン・オキサイド）等の電気光学結晶や液晶を用いたものを利用することができ、この位相変調器３は、位相変調器制御回路１２によって制御される。そして、これにより、位相変調器３に入射した直線偏光を、楕円偏光、さらには、入射された直線偏光の偏光面から９０°偏光面が回転した直線偏光へ変化させることが可能となる。
【００３２】
第１及び第２の光検出器６、７としては、例えば、フォトダイオードや光電子増倍管等の光電変換素子を用いることができる。
【００３３】
尚、本実施の形態においては、被測定物４を透過した光を偏光分離する手段として偏光ビームスプリッタ５を用いているが、その他、偏光回折格子、グラントムソンプリズム、ウォラストンプリズム、ローションプリズム、ビームディスプレイサなどを用いることもできる。
【００３４】
また、偏光ビームスプリッタ５の後、第１及び第２の光検出器６、７の直前、被測定物４の光透過位置に、被測定物４を照射する光の直径と同程度の直径のピンホール（図示せず）を散乱光除去のために設けてもよい。
【００３５】
次に、以上の構成を備えた測定装置１を用いて計測信号を得る方法について、図１を参照しながら説明する。
【００３６】
半導体レーザ２からの直線偏光は、コリメートレンズ１１によってコリメートされ、偏光子１０を透過した後、位相変調器３に入射される。位相変調器３によって偏光状態が時間的に変化した光は、被測定物４（血糖値測定（グルコース濃度の測定）においては、指や耳たぶ等）に照射される。被測定物４を透過した光は、偏光ビームスプリッタ５によって偏光分離され、偏光分離された２つの偏光は、それぞれ、第１及び第２の光検出器６、７によって検出される。それぞれ第１及び第２の光検出器６、７によって検出された検出信号は、差動増幅器８に入力され、差動増幅器８からは、偏光分離された２つの偏光の検出信号の差分信号が計測信号として出力される。
【００３７】
被測定物４を透過し、偏光分離された後、第１及び第２の光検出器６、７によって検出される光には、「準直進光成分」と「回り込み成分」とが含まれる。ここで、準直進光成分とは、検出器に到達するまでの散乱回数が少なく、散乱媒質中を検出器に向かって略直線的に進行する経路を通過してきた光のことである。このように、準直進光成分は、散乱回数が少なく、散乱時に受ける偏光の解消度が小さい。従って、準直進光成分は、被測定物に照射される光の偏光状態を保存する。これに対し、回り込み成分は、散乱回数が多いため、偏光の解消度が大きく、無偏光となる。
【００３８】
よって、回り込み成分は、偏光分離された後、偏光ビームスプリッタ５の偏光分離面の入射面内で振動している偏光成分（ｐ偏光）、及び、入射面と直交する面内で振動している偏光成分（ｓ偏光）と共に、被測定物４に照射される光の偏光に、つまり、位相変調器３での偏光状態の時間変調に関わらず一定強度の信号成分として、第１及び第２の光検出器６、７によって検出される。
【００３９】
これに対して、準直進光成分は、被測定物４に照射される光の偏光に、つまり、位相変調器３での偏光状態の時間変調に同期して強度が変化する変調信号として、第１及び第２の光検出器６、７によって検出される。
【００４０】
つまり、第１の光検出器（ｐ偏光光検出器）６、第２の光検出器（ｓ偏光光検出器）７の両方において、回り込み成分に起因する一定強度の信号成分に、準直進光成分の変調信号が乗った信号が検出される（それぞれの検出器によって検出される信号を「ｐ偏光側光信号」、「ｓ偏光側光信号」という）。
【００４１】
ここで、半導体レーザ２からの直線偏光（入射光の直線偏光）を、位相変調器３において、時間ｔでｐ偏光に相当する直線偏光から楕円偏光を経てｓ偏光に相当する直線偏光となるように偏光状態を変化させた場合、例えば、入射光の直線偏光がｐ偏光に相当する直線偏光となる瞬間では、被測定物４を透過した光の準直進光成分は全てｐ偏光側へ偏光分離され、入射光の直線偏光がs偏光に相当する直線偏光となる瞬間では、被測定物４を透過した光の準直進光成分は全てs偏光側へ偏光分離されるため、ｐ偏光側に設けられた第１の光検出器（ｐ偏光光検出器）６とｓ偏光側に設けられた第２の光検出器（ｓ偏光光検出器）７によって得られる準直進光成分の強度変化は、互いに強弱が逆転したものとなる（図２の一点鎖線によって表された波形と二点鎖線によって表された波形を参照）。
【００４２】
そこで、ｐ偏光側光信号とｓ偏光側光信号の差分を取れば、回り込み成分がキャンセルされ、準直進光成分の振幅（強度）が２倍になった信号が得られる（図２の実線によって表された波形を参照）。
【００４３】
ここで、レーザノイズや生体の局所的な変動（脈波、呼吸等）が起こった場合、その影響は、第１の光検出器（ｐ偏光光検出器）６、第２の光検出器（ｓ偏光光検出器）７の両方に、同時間に同量のノイズとして重畳する。これらのノイズは、第１の光検出器（ｐ偏光光検出器）６からの信号と第２の光検出器（ｓ偏光光検出器）７からの信号の差分を取ることによってキャンセルすることができる。そして、これにより、前記ノイズの影響を小さくすることができ、より高品質な準直進光成分の信号を得ることができる。
【００４４】
以上のようにして得られた差分信号は、パーソナルコンピュータ９へ入力され、その後の信号処理により、散乱係数の変化、さらにはグルコース濃度などの成分濃度が求められる。
【００４５】
尚、図２においては、準直進光成分の強度の時間変化が正弦波となるように、入射された光の偏光状態を時間的に変化させた場合を示しているが、必ずしもかかる構成に限定されるものではない。例えば、準直進光成分の強度の時間変化が矩形波、三角波となるように、入射された光の偏光状態を時間的に変化させるようにしてもよい。
【００４６】
［実施の形態２］
図３は、本発明の実施の形態２における被測定物内の成分濃度の測定装置を示す概略構成図である。
【００４７】
図３に示す測定装置１３の構成は、差動増幅器８からの差分信号を、位相変調器３を制御している位相変調器制御回路１２と同期したロックインアンプ１４を用いて同期検波を行い、差動増幅器８からの差分信号（計測信号）の中から位相変調器３での偏光変化に同期して変化する成分（準直進光成分）を抽出している点のみが、上記実施の形態１の測定装置１の構成（図１参照）と異なっている。従って、上記実施の形態１の測定装置１を構成する部材と同一の部材については同一の参照符号を付し、それらの説明は省略する。
【００４８】
ロックインアンプ１４を用いて、差分信号の中から準直進光成分の抽出を行うことにより、例えば、第１及び第２の光検出器６、７や差動増幅器８において発生したノイズを除去して、より高品質な信号を得ることが可能となる。
【００４９】
ロックインアンプ１４からの出力信号は、パーソナルコンピュータ９へ入力され、その後の信号処理により、散乱係数の変化、さらにはグルコース濃度などの成分濃度が求められる。
【００５０】
［実施の形態３］
図４は、本発明の実施の形態３における被測定物内の成分濃度の測定装置を示す概略構成図である。
【００５１】
図４に示す測定装置１５の構成は、被測定物４を透過した光を偏光分離する手段として偏光ビームスプリッタ５の代わりに偏光回折格子１６を用いている点が、上記実施の形態１の測定装置１の構成（図１参照）と異なっている。従って、上記実施の形態１の測定装置１を構成する部材と同一の部材については同一の参照符号を付し、それらの説明は省略する。このように被測定物４を透過した光を偏光分離する手段として偏光回折格子１６を用いることにより、より小型で安価な成分濃度の測定装置を提供することが可能となる。
【００５２】
偏光回折格子１６は、入射される偏光の向きによって、各次回折光へ回折される回折効率が異なる回折格子である。
【００５３】
偏光回折格子１６は、複屈折を有する光学媒質と等方性媒質とを交互に配置することによって得られる。複屈折を有する光学媒質の材料としては、例えば、液晶分子がある。また、等方性媒質の材料としては、透明なガラス、プラスチック、又は紫外線硬化樹脂等がある。
【００５４】
例えば、屈折率が複屈折を有する液晶の常光屈折率ｎoと同じである等方性媒質に、常光性偏光と異常光性偏光の位相差が１λ（λは使用波長）である鋸状の溝を形成し、液晶分子の長軸方向が揃うように液晶を溝に充填することにより、常光偏光が回折せず異常光偏光の略全てが１つの回折次数の回折光に回折する偏光回折格子１６を得ることができる。以上の構成に限らず、常光屈折率ｎoと異常光屈折率ｎeの平均値である屈折率の等方性媒質に、常光性偏光と異常光性偏光の位相差が２λ（λは使用波長）である三角溝を形成し、液晶分子の長軸方向が揃うように液晶を溝に充填するようにしてもよい。この場合には、常光偏光と異常光偏光のそれぞれが別の１つの回折次数の回折光となるように回折する。
【００５５】
また、図４に示す測定装置１５においては、偏光回折格子１６の直後にレンズ１７が設けられている。レンズ１７と第１及び第２の光検出器６、７は、レンズ１７から第１及び第２の光検出器６、７までの距離がレンズ１７の焦点距離となるように配置されている。この構成によれば、偏光回折格子１６によって分離されたそれぞれの偏光を、それぞれ別の位置に集光することができ、第１及び第２の光検出器６、７の小型化が可能となる。
【００５６】
また、図４に示す測定装置１５においては、２つの光検出器（第１及び第２の光検出器６、７）を用いているが、市販の２分割光検出器を用いて、各偏光をそれぞれ検出するようにしてもよい。
【００５７】
また、上記実施の形態２と同様に、差動増幅器８からの差分信号を、位相変調器３を制御している位相変調器制御回路１２と同期したロックインアンプ１４を用いて同期検波を行い、差動増幅器８からの差分信号（計測信号）の中から位相変調器３での偏光変化に同期して変化する成分（準直進光成分）を抽出するようにしてもよい（図５参照）。
【００５８】
ロックインアンプ１４を用いて、差分信号の中から準直進光成分の抽出を行うことにより、例えば、第１及び第２の光検出器６、７や差動増幅器８において発生したノイズを除去して、より高品質な信号を得ることが可能となる。
【００５９】
ロックインアンプ１４からの出力信号は、パーソナルコンピュータ９へ入力され、その後の信号処理により、散乱係数の変化、さらにはグルコース濃度などの成分濃度が求められる。
【００６０】
［実施の形態４］
図６は、本発明の実施の形態４における被測定物内の成分濃度の測定装置を示す概略構成図である。
【００６１】
図６に示す測定装置１８の構成は、入射された光の偏光状態を時間的に変化させる手段として位相変調器３の代わりに回転する位相板１９を用いている点が、上記実施の形態１の測定装置１の構成（図１参照）と異なっている。従って、上記実施の形態１の測定装置１を構成する部材と同一の部材については同一の参照符号を付し、それらの説明は省略する。
【００６２】
回転する位相板１９としては、例えば、１／２波長板を用いることができ、この位相板１９の回転は、モータ２０によって制御される。
【００６３】
半導体レーザ２からの直線偏光が、その偏光面が１／２波長板の主方向に対してθ°の方位角で１／２波長板へ入射された場合には、直線偏光のままその偏光面が２×θ°回転する。よって、位相板（１／２波長板）１９が１回転すると、偏光面は２回転する。
【００６４】
また、上記実施の形態２と同様に、差動増幅器８からの差分信号を、回転する位相板１９を制御しているモータ２０と同期したロックインアンプ２１を用いて同期検波を行い、差動増幅器８からの差分信号（計測信号）の中から回転する位相板１９での偏光変化に同期して変化する成分（準直進光成分）を抽出するようにしてもよい（図７参照）。
【００６５】
この場合、各偏光分離された偏光の強度は、位相板（１／２波長板）１９の１回転に対して４周期の変化をするので、位相板（１／２波長板）１９の回転数の４倍の周波数をロックインアンプ２１の参照信号として同期検波を行う。
【００６６】
ロックインアンプ２１を用いて、差分信号の中から準直進光成分の抽出を行うことにより、例えば、第１及び第２の光検出器６、７や差動増幅器８において発生したノイズを除去して、より高品質な信号を得ることが可能となる。
【産業上の利用可能性】
【００６７】
本発明の被測定物内の成分濃度の測定装置は、媒質中の微粒子による光散乱を示す被測定物内の成分濃度の測定を行う場合に有用である。特に、本発明によれば、ヒト生体組織内の血液中の血糖濃度を測定するのに好適な非侵襲の測定装置（血糖値センサ）を実現することができる。
【符号の説明】
【００６８】
１、１３、１５、１８  被測定物内の成分濃度の測定装置
２  半導体レーザ
３  位相変調器
４  被測定物
５  偏光ビームスプリッタ
６  第１の光検出器
７  第２の光検出器
８  差動増幅器
９  パーソナルコンピュータ
１０  偏光子
１１  コリメートレンズ
１２  位相変調器制御回路
１４、２１  ロックインアンプ
１６  偏光回折格子
１７  レンズ
１９  回転する位相板
２０  モータ
【図１】
2012148034.tif 000003
【図２】
2012148034.tif 000004
【図３】
2012148034.tif 000005
【図４】
2012148034.tif 000006
【図５】
2012148034.tif 000007
【図６】
2012148034.tif 000008
【図７】
2012148034.tif 000009